(57)【要約】  【課題】  衝撃や振動により発生する画像の読取異常の発生を自動的に検出するとともに、自動復旧させることにより処理効率の低下を回避できるフィルムスキャナを提供する。  【解決手段】  フィルムＦを搬送するフィルム搬送部２０と、フィルム搬送部２０により搬送されたフィルムＦに記録されたコマ画像を読み取る画像読取部３０と、それらによる画像読取プロセスを制御する画像読取プロセス制御手段４０と、フィルム搬送部２０または画像読取部３０にかかる振動を検知する振動検出センサＳを備え、フィルムＦからの画像読取動作中に振動検出センサＳによる検出振動レベルが所定の許容レベルを超えたと判断したときに、当該フィルムから読み取られたコマ画像が異常画像であると判断し、画像読取部３０による当該コマ画像に対する画像読取動作を停止して次のコマ画像に対する画像読取プロセスを実行する。  【選択図】  図２
2005340899.tif 000002
【特許請求の範囲】
【請求項１】
フィルムを搬送するフィルム搬送部と、前記フィルム搬送部により搬送されたフィルムに記録されたコマ画像を読み取る画像読取部と、前記フィルム搬送部及び前記画像読取部による画像読取プロセスを制御する画像読取プロセス制御手段を備えてなるフィルムスキャナであって、
前記フィルム搬送部または前記画像読取部にかかる振動を検知する振動検出センサを備え、前記フィルムからの画像読取動作中に前記振動検出センサによる検出振動レベルが所定の許容レベルを超えたと判断したときに、前記画像読取プロセス制御手段は当該フィルムから読み取られたコマ画像が異常画像であると判断するフィルムスキャナ。
【請求項２】
前記画像読取プロセス制御手段は、異常画像であると判断したときに、前記画像読取部による当該コマ画像に対する画像読取動作を停止して次のコマ画像に対する画像読取プロセスを実行する請求項１記載のフィルムスキャナ。
【請求項３】
前記画像読取プロセス制御手段は、異常画像であると判断したときに、当該フィルムに記録された残余のコマ画像に対する画像読取動作の終了後に再度同一コマ画像を読み取るように前記フィルム搬送部及び前記画像読取部による画像読取プロセスを制御する請求項１または２記載のフィルムスキャナ。
【請求項４】
前記画像読取プロセス制御手段は、異常画像であると判断したときに、前記画像読取部による当該コマ画像に対する画像読取動作を停止して、再度同一コマ画像を読み取るように前記フィルム搬送部及び前記画像読取部による画像読取プロセスを制御する請求項１記載のフィルムスキャナ。
【請求項５】
前記画像読取部により読み取られたコマ画像データを格納する記憶手段を備え、前記記憶手段に格納されたコマ画像データを、前記フィルムに記録されたコマ画像の順番に従って出力する画像データ出力手段を備えてある請求項１から３の何れかに記載のフィルムスキャナ。
【発明の詳細な説明】
【技術分野】
【０００１】
本発明は、フィルムを搬送するフィルム搬送部と、前記フィルム搬送部により搬送されたフィルムに記録されたコマ画像を読み取る画像読取部と、前記フィルム搬送部及び前記画像読取部による画像読取プロセスを制御する画像読取プロセス制御手段を備えてなるフィルムスキャナに関する。
【背景技術】
【０００２】
上述の画像読取装置の作動時に異常振動が加わると、その程度によっては読み取られた画像データが乱れ、そのような画像データに基づいて出力されたプリント画像は異常な画像として出力される。操作者は読み取られてモニタに表示された画像を目視して異常画像の発生を認識すると、当該画像を再度読み取るように画像読取装置を操作作動させる必要があった。
【０００３】
一方、装置に加わる振動や衝撃を加速度センサにより検出し、振動や衝撃が検出されたときに画像形成動作を停止させる制御手段を設けた画像形成装置も提案されている。
【特許文献１】特開平０５−０１９５５８号公報
【発明の開示】
【発明が解決しようとする課題】
【０００４】
しかし、大きな振動、衝撃が加わった場合に異常画像を目視判断するのは比較的容易であるが、微妙な異常画像を目視判断する場合には熟練者でなければ困難であるという問題があり、加速度センサにより振動や衝撃が検出されたときに画像形成動作を停止するような構成を画像読取装置に適用して、振動等が検出されたときに画像読取動作を停止するものでは、停止した後に再度読取条件等を設定して装置を作動させる必要があり、操作が煩雑であるばかりか、処理効率が低下するという問題があった。
【０００５】
本発明は、上述の従来欠点に鑑み、衝撃や振動により発生する画像の読取異常の発生を自動的に検出するとともに、自動復旧させることにより処理効率の低下を回避できるフィルムスキャナを提供する点にある。
【課題を解決するための手段】
【０００６】
上述の目的を達成するため、本発明によるフィルムスキャナの第一の特徴構成は、特許請求の範囲の書類の請求項１に記載した通り、フィルムを搬送するフィルム搬送部と、前記フィルム搬送部により搬送されたフィルムに記録されたコマ画像を読み取る画像読取部と、前記フィルム搬送部及び前記画像読取部による画像読取プロセスを制御する画像読取プロセス制御手段を備えてなるフィルムスキャナであって、前記フィルム搬送部または前記画像読取部にかかる振動を検知する振動検出センサを備え、前記フィルムからの画像読取動作中に前記振動検出センサによる検出振動レベルが所定の許容レベルを超えたと判断したときに、前記画像読取プロセス制御手段は当該フィルムから読み取られたコマ画像が異常画像であると判断する点にある。
【０００７】
上述の特徴構成によれば、画像読取プロセス制御手段により、振動検出センサによる検出振動レベルに基づいて、読み取られた画像に異常が発生したか否かが自動的に判断されるので、オペレータが異常画像であるか否かを目視判断する必要が無くなるのである。そして、検出振動レベルの許容レベルを適切に設定することにより、確実に異常画像の発生を検出判断できるようになるのである。
【０００８】
同第二の特徴構成は、同請求項２に記載した通り、上述した第一特徴構成に加えて、前記画像読取プロセス制御手段は、異常画像であると判断したときに、前記画像読取部による当該コマ画像に対する画像読取動作を停止して次のコマ画像に対する画像読取プロセスを実行する点にある。
【０００９】
この場合、異常画像であると判断されたときに当該コマ画像に対する画像読取動作を継続しても無駄となるので、無用な画像読取動作を停止するとともに、連続する次のコマ画像を読み取るべく画像読取プロセスを実行することで、効率的にコマ画像の読取処理を行なうことができるのである。
【００１０】
同第三の特徴構成は、同請求項３に記載した通り、上述した第一または第二特徴構成に加えて、前記画像読取プロセス制御手段は、異常画像であると判断したときに、当該フィルムに記録された残余のコマ画像に対する画像読取動作の終了後に再度同一コマ画像を読み取るように前記フィルム搬送部及び前記画像読取部による画像読取プロセスを制御する点にある。
【００１１】
読み取られた画像データに異常が発生したと判断されると、当該画像読取動作の終了後に再度同一のコマ画像を読み取るように前記画像読取プロセス制御手段が制御して自動的にリカバリーがなされるので、当該コマ画像を再度読み取るための煩雑な設定操作が不要となるので、利便性が著しく向上するのである。
【００１２】
同第四の特徴構成は、同請求項４に記載した通り、上述した第一特徴構成に加えて、前記画像読取プロセス制御手段は、異常画像であると判断したときに、前記画像読取部による当該コマ画像に対する画像読取動作を停止して、再度同一コマ画像を読み取るように前記フィルム搬送部及び前記画像読取部による画像読取プロセスを制御する点にある。
【００１３】
読取中に異常画像と判断された画像コマを再度読み取るために、画像読取プロセス制御手段は、例えばフィルムを逆方向に一コマ分搬送した後に順方向に搬送して再度読み取ることにより、読み取られたコマ画像の順序を整合させた状態でリカバリーすることができるのである。
【００１４】
同第五の特徴構成は、同請求項５に記載した通り、上述した第一から第三の何れかの特徴構成に加えて、前記画像読取部により読み取られたコマ画像データを格納する記憶手段を備え、前記記憶手段に格納されたコマ画像データを、前記フィルムに記録されたコマ画像の順番に従って出力する画像データ出力手段を備えてある点にある。
【００１５】
上述の構成によれば、複数のコマ画像に対する画像読取動作が連続的になされる場合において、当該異常画像の画像読取動作に連続する他の画像読取動作の終了後に再度同一画像を読み取るように制御されるので、画像読取プロセスの処理効率を低下させることなく自動リカバリーが可能になるのであり、さらに、フィルムに記録されているコマ画像の記録順序が読取順序と異なっても、記憶手段に記憶されたコマ画像の読出し順序を変更することにより、フィルムに記録されているコマ画像の記録順序の通りに出力することが可能になるのである。
【発明の効果】
【００１６】
以上説明した通り、本発明によれば、衝撃や振動により発生する画像の読取異常の発生を自動的に検出するとともに、自動復旧させることにより処理効率の低下を回避できるフィルムスキャナを提供することができるようになった。
【発明を実施するための最良の形態】
【００１７】
以下に本発明によるフィルムスキャナを写真処理装置に用いた例を説明する。デジタル方式の写真処理装置は、図１に示すように、撮影済みのネガフィルム（以下、単に「フィルム」と記す。）Ｆ等から写真画像を読み取るフィルムスキャナ１と、モニタＣ１、操作卓Ｃ２、システムコントローラＣを備え、スマートメディア、コンパクトフラッシュ等の各種のカード型メモリやＣＤ−ＲＯＭ、ＭＯ等の磁気式や光学式の記憶媒体に対応した複数のドライバを備えた操作設定部ＯＰと、前記フィルムスキャナ１で読み取られた写真画像データに基づいて印画紙を露光、現像処理して写真プリントＰを出力するプリンタ３とからなり、フィルムスキャナ１は、操作設定部ＯＰ及びプリンタ３とからなる本体と分離して構成してある。
【００１８】
図２に示すように、前記プリンタ３は、ロール状の印画紙Ｐが収容されたペーパーマガジン５０と、前記ペーパーマガジン５０から印画紙を引き出して搬送する複数の印画紙搬送ローラ５２と、搬送ローラ５２を駆動するモータ５４と、搬送される印画紙Ｐの感光面を露光する蛍光ビーム方式のプリントヘッド６０と、露光済みの印画紙に現像、漂白、定着の各処理を施す現像処理部６２と、現像処理された印画紙を乾燥しながら搬送する乾燥部６４と、乾燥された印画紙Ｐを最終のプリントとして排出する排出部６６とを備えて構成してある。前記ペーパーマガジン５０から引き出された印画紙Ｐは現像処理の前後何れかに配置されたカッター（図示せず）によって所定のプリントサイズにカットされて排出部６６に出力される。
【００１９】
前記プリントヘッド６０は、グリッド電圧の調節により発光が制御される蛍光体にレンズとカラーフィルタを装着した蛍光体素子を主走査方向に並べた赤色発光ブロックと緑色発光ブロックと青色発光ブロックの三列で構成してあり、前記フィルムスキャナ１により読み取られたＲ成分、Ｇ成分、Ｂ成分の各画像データに基づいて駆動制御することにより印画紙上に写真画像を生成する。
【００２０】
前記システムコントローラＣは、ＣＰＵ、ＲＯＭ、ＲＡＭ、Ｉ／Ｆ回路等でなるマイクロコンピュータシステムを備えて構成してあり、モニタＣ１に表示された各種情報に従った操作卓Ｃ２からの入力操作に基づいて、上述のフィルムスキャナ１やプリンタ３の各ブロックを所定の手順で制御して動作させる。
【００２１】
前記フィルムスキャナ１は、フィルムＦに読取用の照明光を照射する照明光学系１０、フィルムＦを搬送するフィルム搬送部２０と、当該フィルム搬送部２０により搬送されたフィルムＦに記録されたコマ画像を読み取る画像読取部３０と、前記照明光学系１０、前記フィルム搬送部２０及び前記画像読取部３０による画像読取プロセスを制御する画像読取プロセス制御手段４０を備えて構成してあり、前記画像読取プロセス制御手段４０と前記システムコントローラＣとがシステム動作を制御する制御信号ラインＬ１で接続されるとともに、前記画像読取部３０と前記システムコントローラＣとが画像データを送信する画像信号ラインＬ２で接続されている。
【００２２】
前記照明光学系１０は、フィルムＦの搬送方向である副走査方向（図２で矢印で示す）に直交する主走査方向に沿って配置した棒状のハロゲンランプ１１と、ハロゲンランプ１１からの光線束の色分布を調整する調光フィルタ１２と、同光線束をスリット状に集光するシリンドリカルレンズ１３と、強度分布を均一にする拡散板１４と、幅狭のスリット１５を備えて構成してあり、主走査方向に沿ったスリット光によりフィルムを照射する。尚、拡散板１４及びスリット１５は後述のフィルム搬送機構２０に取り付けてある。
【００２３】
前記フィルム搬送機構２０は、フィルムＦを前記スリット１５の直下のフィルム投影部に向けて搬送する複数の搬送ローラ対２１と、搬送ローラ対２１を駆動するモータ２２を備えて構成してあり、フィルムＦは前記画像読取プロセス制御手段４０により所定速度で搬送制御される。
【００２４】
前記画像読取部３０は、集光レンズ、ＣＣＤラインセンサ（以下、「ラインセンサ」と記す。）、サンプルホールド回路、Ａ／Ｄ変換器等を備えて構成してあり、フィルムＦを透過した前記照明光学系１０からのスリット光が集光レンズによりラインセンサ上に結像され、ラインセンサにより読み取られたアナログ信号がＡ／Ｄ変換器によりデジタルデータに変換されるように構成されている。前記ラインセンサは、透過光のＲ成分、Ｇ成分、Ｂ成分の各成分の光を選択的に通過させるカラーフィルタが夫々設けられた３列のラインセンサで構成され、以ってフィルム上の各コマ画像がフィルムＦの搬送に伴って、Ｒ成分、Ｇ成分、Ｂ成分の各色成分に分解して読み込まれる。
【００２５】
前記システムコントラーラＣによりフィルム読取指令が送られると、前記画像読取プロセス制御手段４０は、前記ハロゲンランプ１１を点灯させた後に、前記フィルム搬送機構２０によりフィルムＦを所定速度で搬送させ、前記画像読取部３０によりフィルム上に記録されたコマ画像を順次読み取り、読み取った画像データを画像信号ラインＬ２を介して前記システムコントラーラＣに送信する。受信した画像データは記憶手段７０に記憶される。
【００２６】
前記記憶手段７０に記憶されたコマ画像データに所定の画像処理が施され、当該コマ画像データに基づいて駆動されるプリントヘッド６０により露光された印画紙Ｐが現像処理されて写真プリントとして出力される。
【００２７】
前記システムコントローラＣによるプリント制御動作について詳述すると、図３に示すように、先ず最初にフィルムスキャナ１によりフィルムに記録されている全ての画像を記録された順に低解像度で読み込むプレスキャン動作を行ない（Ｓ１）、識別されたコマ画像を順番にモニタＣ１に表示する（Ｓ２）。このとき、コマ画像には順に管理番号が付され、以下、各コマ画像は管理番号で識別される。
【００２８】
オペレータが走査卓Ｃ２を操作して表示されたコマ画像に対して階調補正、色補正等のフィルム検定処理を行ない、プリント枚数、プリントサイズ等の出力条件を設定する（Ｓ３）。このときの設定内容はシステムコントローラＣに設けられたメモリに記憶される（Ｓ４）。全てのコマ画像に対するフィルム検定処理等が終了すると（Ｓ５）、フィルムスキャナ１によりフィルムに記録されているコマ画像を高解像度で読み込む本スキャン動作を実行し（Ｓ６）、読み取られた高解像度の画像データを前記記憶手段７０に記憶する（Ｓ７）。ここに、前記記憶手段７０はハードディスク等の大容量の記憶装置が使用される。
【００２９】
前記記憶手段７０に記憶した本スキャンによる画像データを一枚ずつ読み出して上述のフィルム検定処理で設定されたデータに基づいて階調補正、色補正等を施す（Ｓ８）。処理後のデータを前記プリントヘッド６０に対応する出力データに変換処理して（Ｓ９）、前記ペーパーマガジン５０から引き出された印画紙Ｐを露光する（Ｓ１０）。露光された印画紙Ｐを現像処理部６２で現像処理した後に排出部６６に出力するのである（Ｓ１１）。
【００３０】
さらに、上述のフィルムスキャナ１は、前記フィルム搬送部２０及び前記画像読取部３０にかかる振動を検知する振動検出センサＳを備え、前記フィルムＦからの本スキャンによる画像読取動作中に前記振動検出センサＳによる検出振動レベルが所定の許容レベルを超えたと判断したときに、前記画像読取プロセス制御手段４０は当該フィルムＦから読み取られたコマ画像が異常画像であると判断し、前記画像読取部３０による当該コマ画像に対する画像読取動作を停止して次のコマ画像に対する画像読取プロセスを実行するように構成してある。ここで、前記振動検出センサＳは、圧電素子を備えた加速度ピックアップで構成されるが他の方式のセンサを使用するものであってもよい。
【００３１】
以下に詳述する。図４に示すように、前記システムコントローラＣから本スキャン指令が入力されると（Ｓ２０）、前記画像読取プロセス制御手段４０はハロゲンランプ１１を点灯させた後にフィルム搬送部２０を作動させてフィルムＦを読取位置に向けて搬送し、先頭のコマ画像から順に画像読取部３０により読取処理を実行する（Ｓ２１）。コマ画像の読取処理中に前記振動検出センサＳにより振動が検出され、そのレベルが予め設定されている許容レベルよりも高いと判断される場合には（Ｓ２２）、当該コマ画像に対する読取動作を停止させて（Ｓ２３）、前記フィルムＦを次のコマ画像位置に向けて搬送する（Ｓ２４）。
【００３２】
一連の全コマ画像の読み取りが終了していないときには（Ｓ２５）、ステップＳ２１に戻り次のコマ画像を読み取り、一連の全コマ画像の読み取りが終了したときには（Ｓ２５）、途中のコマ画像に異常振動による読取不能の異常画像があったか否かを判断し（Ｓ２６）、異常画像が無ければ処理を終了し、異常画像があれば異常が生じたコマ画像位置までフィルムを逆方向に搬送した後に（Ｓ２７）、当該コマ画像を読み取る（Ｓ２１）。
【００３３】
前記システムコントローラＣは、プレスキャン時に認識したコマ画像の位置を記憶しておくとともに、各コマ画像が正常に読み取られたか否かを示す識別フラグを制御するように構成してあり、当該識別フラグにより異常画像であると判断されたコマ画像に対する位置を把握することによりフィルム搬送部２０による逆方向への搬送量を制御するように構成してある。
【００３４】
即ち、前記画像読取プロセス制御手段は、異常画像であると判断したときに、当該フィルムに記録された残余のコマ画像に対する画像読取動作の終了後に再度同一コマ画像を読み取るように前記フィルム搬送部及び前記画像読取部による画像読取プロセスを制御するものである。
【００３５】
このようにして、一連のコマ画像を順次読み込む際に異常な振動により正常に読み取られなかったコマ画像が一旦パスされ、以降のコマ画像が連続して読み取られるように構成してあるので、処理が中断されること無く効率的に作動するフィルムスキャナが構成される。そして、パスされたコマ画像は一連のコマ画像の読取終了後に再度読み取られるので、画像データが欠落するような不都合が生じることは無い。
【００３６】
また、本スキャンにより読み取られたコマ画像の画像データは前記システムコントローラＣ側の記憶手段７０に記憶され、全てのコマ画像が記憶された後に、前記フィルムに記録されたコマ画像の順番に従って出力する画像データ出力手段が設けられており、プリントの出力順序が整合されるように構成してある。つまり、前記画像読取部３０により読み取られた画像データはフィルム検定時に付された管理番号が付されて格納されているため、管理番号に基づいてプリント順序を整合させるのである。
【００３７】
尚、上述の記憶手段７０及び格納されたコマ画像データをフィルムに記録されたコマ画像の順番に従って出力する画像データ出力手段をフィルムスキャナ側に設けて構成するものであってもよい。
【００３８】
以下に本発明の別実施形態を説明する。上述した実施形態では、画像読取部３０により読み取られた全ての画像データを記憶手段７０に蓄積した後にプリント処理する場合を説明したが、プリント処理の時期はこれに限定されるものではなく、記憶手段７０に記憶される度にプリント処理を実行するように構成するものであってもよい。この場合には異常振動によりパスされたコマ画像があると、再読取された後に出力されるプリントが最後に出力されることになる。
【００３９】
上述した実施形態では、前記画像読取プロセス制御手段４０として、異常画像であると判断したときに、当該フィルムＦに記録された残余のコマ画像に対する画像読取動作の終了後に再度同一コマ画像を読み取るように前記フィルム搬送部２０及び前記画像読取部３０による画像読取プロセスを制御するものを説明したが、異常画像であると判断したときに、前記画像読取部３０による当該コマ画像に対する画像読取動作を停止して、再度同一コマ画像を読み取るように前記フィルム搬送部２０及び前記画像読取部３０による画像読取プロセスを制御するように構成するものであってもよい。この場合には上述の記憶手段７０を設けていない場合であっても、フィルムに記録されたコマ画像の順序とプリントの出力順序は常に整合したものになる。
【００４０】
上述した実施形態では、前記フィルム搬送部２０及び前記画像読取部３０夫々に振動を検知する振動検出センサＳを備えた例を説明したが、前記フィルム搬送部２０及び／または前記画像読取部３０の振動を検出する単一の振動検出センサＳを設けるものであってもよい。
【００４１】
上述した実施形態では、本スキャン動作の実行時に異常振動を検出して所定のリカバリー動作を実行するものを説明したが、プレスキャン動作の実行時に異常振動を検出して所定のリカバリー動作を実行するものであってもよい。また、プレスキャンを行なわず、本スキャンのみ行なうフィルムスキャナでも同様に、画像読取動作の実行時に異常振動を検出して所定のリカバリー動作を実行すればよいことはいうまでもない。
【００４２】
上述した実施形態では、フィルムスキャナ１が操作設定部ＯＰ及びプリンタ３とからなる本体と分離して構成されたものを説明したが、本体と同一のフレームに一体的に組み付けられて構成するものであっても同様である。
【００４３】
以上説明したように、本発明によれば、人や物がフィルムスキャナに当たって振動したり、例えば交通量の多い地域等振動が激しい場所に設置された場合であっても、常に画像に異常が生じるレベルである場合に、装置が停止することなく自動的にリカバリーされるので、効率的に処理を行なうことができるようになるのである。
【図面の簡単な説明】
【００４４】
【図１】フィルムスキャナを含む写真処理装置の外観説明図
【図２】フィルムスキャナを含む写真処理装置のブロック構成図
【図３】写真プリントの処理手順を示すフローチャート
【図４】異常振動を検知したときのフィルムスキャナの動作を示すフローチャート
【符号の説明】
【００４５】
１：フィルムスキャナ
２０：フィルム搬送部
３０：画像読取部
４０：画像読取プロセス制御手段
７０：記憶手段
【図１】
2005340899.tif 000003
【図２】
2005340899.tif 000004
【図３】
2005340899.tif 000005
【図４】
2005340899.tif 000006